(57)【要約】【課題】ＱｏＳの管理を正しく行う事により、基地局装置と端末装置との通信を効率的に行う端末装置、基地局装置、通信方法および集積回路に関する技術を提供すること。【解決手段】基地局装置と通信する端末装置が、ＤＲＢを介して受信したダウンリンクデータを処理するダウンリンクデータ処理部と、ＤＲＢを介して送信するアップリンクデータを処理するアップリンクデータ処理部と、対応ルール格納部とを備え、ダウンリンクデータ処理部は、ＤＲＢよりＳＤＡＰヘッダを含むダウンリンクＳＤＡＰ  ＰＤＵを受信し、受信したＳＤＡＰヘッダに含まれるＱｏＳフロー識別子を処理し、ダウンリンクＳＤＡＰ  ＰＤＵのリフレクティブＱｏＳフローとＤＲＢの対応付けを、アップリンクＳＤＡＰＰＤＵに対するリフレクティブＱｏＳフローとＤＲＢの対応付けルールとして、対応ルール格納部へ格納する。【選択図】図８
2019033421.tif 000002
【特許請求の範囲】
【請求項１】
基地局装置と通信する端末装置であって、
ＤＲＢ（Ｄａｔａ  Ｒａｄｉｏ  Ｂｅａｒｅｒ）を介して受信したダウンリンクデータを処理するダウンリンクデータ処理部と、
前記ＤＲＢを介して送信するアップリンクデータを処理するアップリンクデータ処理部と、
対応ルール格納部と、
を備え、
前記ダウンリンクデータ処理部は、前記ＤＲＢより、ＳＤＡＰヘッダを含むダウンリンクＳＤＡＰ  ＰＤＵを受信し、
前記ダウンリンクデータ処理部は、前記受信したＳＤＡＰヘッダに含まれるＱｏＳフロー識別子を処理し、
前記ダウンリンクデータ処理部は、前記ダウンリンクＳＤＡＰ  ＰＤＵのリフレクティブＱｏＳフローとＤＲＢの対応付けを、アップリンクＳＤＡＰＰＤＵに対するリフレクティブＱｏＳフローとＤＲＢの対応付けルールとして、前記対応ルール格納部へ格納する、
端末装置。
【請求項２】
前記アップリンクデータ処理部は上位レイヤよりＳＤＡＰ  ＳＤＵ、及びＱｏＳフロー識別子を受信し、
前記アップリンクデータ処理部は、前記上位レイヤより、前記ＳＤＡＰ  ＳＤＵ、及び前記ＱｏＳフロー識別子と共に、リフレクティブＱｏＳ指示を受信した場合、
前記アップリンクデータ処理部は、前記対応ルール格納部に、リフレクティブＱｏＳフローとＤＲＢの対応付けルールがある場合、前記ＳＤＡＰ  ＳＤＵを前記リフレクティブＱｏＳフローとＤＲＢの対応付けルールに従ってＤＲＢに対応づけ、
前記アップリンクデータ処理部は、前記上位レイヤより、前記ＳＤＡＰ  ＳＤＵ、及び前記ＱｏＳフロー識別子と共に、リフレクティブＱｏＳ指示を受信しない場合、
前記アップリンクデータ処理部は、前記対応ルール格納部に、ＱｏＳフローとＤＲＢの対応付けルールがある場合、前記ＳＤＡＰ  ＳＤＵを前記ＱｏＳフローとＤＲＢの対応付けルールＤＲＢに対応づける、
請求項１に記載の端末装置。
【請求項３】
前記アップリンクデータ処理部は上位レイヤよりＳＤＡＰ  ＳＤＵ、及びＱｏＳフロー識別子を受信し、
前記アップリンクデータ処理部は、前記上位レイヤより、前記ＳＤＡＰ  ＳＤＵ、及び前記ＱｏＳフロー識別子と共に、リフレクティブＱｏＳ指示を受信した場合、
前記アップリンクデータ処理部は、前記対応ルール格納部に、リフレクティブＱｏＳフローとＤＲＢの対応付けルールが無い場合、前記ＳＤＡＰ  ＳＤＵをリフレクティブＱｏＳ用デフォルトＤＲＢに対応づけ、
前記アップリンクデータ処理部は、前記上位レイヤより、前記ＳＤＡＰ  ＳＤＵ、及び前記ＱｏＳフロー識別子と共に、リフレクティブＱｏＳ指示を受信しない場合、
前記アップリンクデータ処理部は、前記対応ルール格納部に、ＱｏＳフローとＤＲＢの対応付けルールが無い場合、前記ＳＤＡＰ  ＳＤＵをデフォルトＤＲＢに対応づける、
請求項１に記載の端末装置。
【発明の詳細な説明】
【技術分野】
【０００１】
本発明は、端末装置、基地局装置、通信方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  “Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３７４,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００,  “ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１４．３．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２,“Ｐｒｏｃｅｄｕｒｅ  ｆｏｒ  ５Ｇ  Ｓｙｓｔｅｍ；  Ｓｔａｇｅ  ２”
【発明の概要】
【発明が解決しようとする課題】
【０００５】
ＮＲの技術検討の一つとして、ＩＰ（Ｉｎｔｅｒｎｅｔ  Ｐｒｏｔｏｃｏｌ）レイヤ（ｌａｙｅｒ）以上の上位レイヤとＮＲの無線アクセスレイヤとの間のＱｏＳ（Ｑｕａｌｉｔｙ  ｏｆ  Ｓｅｒｖｉｃｅ）管理を行う、無線アクセスレイヤのプロトコルが検討されている。
【０００６】
しかしながら、上位レイヤと無線アクセスレイヤの間で必要な情報の送受信がなされない場合、ＱｏＳの管理を正しく行う事ができず、基地局装置と端末装置との通信を効率的に行うことができないという課題があった。
【０００７】
本発明の一態様は、上記した事情に鑑みてなされたもので、基地局装置との通信を効率的に行うことができる端末装置、該端末装置と通信する基地局装置、該端末装置に用いられる通信方法、該基地局装置に用いられる通信方法、該端末装置に実装される集積回路、該基地局装置に実装される集積回路を提供することを目的の一つとする。
【課題を解決するための手段】
【０００８】
上記の目的を達成するために、本発明の一態様は、以下のような手段を講じた。すなわち、本発明の一態様は、ＤＲＢ（Ｄａｔａ  Ｒａｄｉｏ  Ｂｅａｒｅｒ）を介して受信したダウンリンクデータを処理するダウンリンクデータ処理部と、前記ＤＲＢを介して送信するアップリンクデータを処理するアップリンクデータ処理部と、対応ルール格納部と、を備え、前記ダウンリンクデータ処理部は、前記ＤＲＢより、ＳＤＡＰヘッダを含むダウンリンクＳＤＡＰ  ＰＤＵを受信し、前記ダウンリンクデータ処理部は、前記受信したＳＤＡＰヘッダに含まれるＱｏＳフロー識別子を処理し、前記ダウンリンクデータ処理部は、前記ダウンリンクＳＤＡＰ  ＰＤＵのリフレクティブＱｏＳフローとＤＲＢの対応付けを、アップリンクＳＤＡＰＰＤＵに対するリフレクティブＱｏＳフローとＤＲＢの対応付けルールとして、前記対応ルール格納部へ格納し、前記アップリンクデータ処理部は上位レイヤよりＳＤＡＰ  ＳＤＵ、及びＱｏＳフロー識別子を受信し、前記アップリンクデータ処理部は、前記上位レイヤより、前記ＳＤＡＰ  ＳＤＵ、及び前記ＱｏＳフロー識別子
と共に、リフレクティブＱｏＳ指示を受信した場合、前記アップリンクデータ処理部は、前記対応ルール格納部に、リフレクティブＱｏＳフローとＤＲＢの対応付けルールがある場合、前記ＳＤＡＰ  ＳＤＵを前記リフレクティブＱｏＳフローとＤＲＢの対応付けルールに従ってＤＲＢに対応づけ、前記アップリンクデータ処理部は、前記上位レイヤより、前記ＳＤＡＰ  ＳＤＵ、及び前記ＱｏＳフロー識別子と共に、リフレクティブＱｏＳ指示を受信しない場合、前記アップリンクデータ処理部は、前記対応ルール格納部に、ＱｏＳフローとＤＲＢの対応付けルールがある場合、前記ＳＤＡＰ  ＳＤＵを前記ＱｏＳフローとＤＲＢの対応付けルールＤＲＢに対応づける。
【０００９】
本発明の一態様は、ＤＲＢ（Ｄａｔａ  Ｒａｄｉｏ  Ｂｅａｒｅｒ）を介して受信したダウンリンクデータを処理するダウンリンクデータ処理部と、前記ＤＲＢを介して送信するアップリンクデータを処理するアップリンクデータ処理部と、対応ルール格納部と、
を備え、前記ダウンリンクデータ処理部は、前記ＤＲＢより、ＳＤＡＰヘッダを含むダウンリンクＳＤＡＰ  ＰＤＵを受信し、前記ダウンリンクデータ処理部は、前記受信したＳＤＡＰヘッダに含まれるＱｏＳフロー識別子を処理し、前記ダウンリンクデータ処理部は、前記ダウンリンクＳＤＡＰ  ＰＤＵのリフレクティブＱｏＳフローとＤＲＢの対応付けを、アップリンクＳＤＡＰＰＤＵに対するリフレクティブＱｏＳフローとＤＲＢの対応付けルールとして、前記対応ルール格納部へ格納し、前記アップリンクデータ処理部は上位レイヤよりＳＤＡＰ  ＳＤＵ、及びＱｏＳフロー識別子を受信し、前記アップリンクデータ処理部は、前記上位レイヤより、前記ＳＤＡＰ  ＳＤＵ、及び前記ＱｏＳフロー識別子と共に、リフレクティブＱｏＳ指示を受信した場合、前記アップリンクデータ処理部は、前記対応ルール格納部に、リフレクティブＱｏＳフローとＤＲＢの対応付けルールが無い場合、前記ＳＤＡＰ  ＳＤＵをリフレクティブＱｏＳ用デフォルトＤＲＢに対応づけ、前記アップリンクデータ処理部は、前記上位レイヤより、前記ＳＤＡＰ  ＳＤＵ、及び前記ＱｏＳフロー識別子と共に、リフレクティブＱｏＳ指示を受信しない場合、前記アップリンクデータ処理部は、前記対応ルール格納部に、ＱｏＳフローとＤＲＢの対応付けルールが無い場合、前記ＳＤＡＰ  ＳＤＵをデフォルトＤＲＢに対応づける。
【００１０】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１１】
本発明の一態様によれば、端末装置および基地局装置は、ＱｏＳ管理を正しく行う事ができ、効率的に通信を行うことができる。
【図面の簡単な説明】
【００１２】
【図１】本発明の実施の形態に係る通信システムの概略図。
【図２】本発明の実施の形態における、Ｅ−ＵＴＲＡにおける端末装置と基地局装置のＵＰ及びＣＰのプロトコルスタック図。
【図３】本発明の実施の形態における、ＮＲにおける端末装置と基地局装置のＵＰ及びＣＰのプロトコルスタック図。
【図４】本発明の実施の形態におけるＲＲＣコネクション再設定手順における、ＳＤＡＰ設定を伴うＤＲＢ設定のフローの一例を示す図。
【図５】本発明の実施の形態における基地局装置（ｇＮＢ）のＳＤＡＰの構成を示すブロック図。
【図６】本発明の実施の形態における端末装置（ＵＥ）のＳＤＡＰの構成を示すブロック図。
【図７】本発明の実施の形態におけるＳＤＡＰ設定を伴うＤＲＢ設定に係るＡＳＮ．１（Ａｂｓｔｒａｃｔ  Ｓｙｎｔａｘ  Ｎｏｔａｔｉｏｎ  Ｏｎｅ）のパラメータ一例。
【図８】本発明の実施の形態における基地局装置（ｇＮＢ）及び端末装置（ＵＥ）においてＳＤＡＰ ＳＤＵ、又はＳＤＡＰ  ＰＤＵを受け取った場合の処理のフローの一例。
【発明を実施するための形態】
【００１３】
以下、本発明の実施の形態について、図面を参照して詳細に説明する。
【００１４】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＤｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。
【００１５】
図１は本発明の実施の形態に係る通信システムの概略図である。
【００１６】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡの基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ用コア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００１７】
ＮＲ１０６は現在３ＧＰＰにて検討している新しい無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲの基地局装置である。５ＧＣ１１０は、現在３ＧＰＰにて検討しているＮＲ用の新しいコア網であり、非特許文献２等に記載される。
【００１８】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、インタフェース１２４はＣＰのみ、又はＵＰのみ、又はＣＰ及びＵＰ両方を通すインタフェースであるが詳細は３ＧＰＰにおいて議論中である。また、インタフェース１１４、インタフェース１１６、インタフェース１１８、インタフェース１２０、インタフェース１２４は、通信事業者が提供する通信システムに応じて存在しない場合もある。
【００１９】
ＵＥ１２２はＮＲに対応、又はＥ−ＵＴＲＡ及びＮＲ両方に対応した端末装置である。
【００２０】
図２は本発明の実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２１】
図２（Ａ）はＵＥ１２２がｅＮＢ１０２と通信を行う際に用いるＵＰのプロトコルスタック図である。
【００２２】
ＰＨＹ（Ｐｈｙｓｉｃａｌ  ｌａｙｅｒ）２００は、無線物理層であり、物理チャネル（Ｐｈｙｓｉｃａｌ  Ｃｈａｎｎｅｌ）を利用して上位層に伝送サービスを提供する。ＰＨＹ２００は、後述する上位のＭＡＣ（Ｍｅｄｉｕｍ  Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００２３】
ＭＡＣ２０２は、多様な論理チャネル（Ｌｏｇｉｃａｌ  Ｃｈａｎｎｅｌ）を多様なトランスポートチャネルにマッピングを行う。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００２４】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００２５】
ＰＤＣＰ２０６は、ユーザデータであるＩＰパケット（ＩＰ  Ｐａｃｋｅｔ）を無線区間で効率的に伝送するために、不要な制御情報の圧縮を行うヘッダ圧縮機能を持ってもよい。また、ＰＤＣＰ２０６は、デ−タの暗号化の機能も持ってもよい（非特許文献５）。
【００２６】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００２７】
図２（Ｂ）はＵＥ１２２がｅＮＢ１０２と通信を行う際に用いるＣＰのプロトコルスタック図である。
【００２８】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８が存在する。ＲＲＣ２０８は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい（非特許文献４）。
【００２９】
前述のＭＡＣ２０２、ＲＬＣ２０４、ＰＤＣＰ２０６、及びＲＲＣ２０８の機能分類は
一例であり、各機能の一部あるいは全部が実装されなくてもよい。また、各層の機能の一部あるいは全部が他の層に含まれてもよい。
【００３０】
図３は本発明の実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００３１】
図３（Ａ）はＵＥ１２２がｇＮＢ１０８と通信を行う際に用いるＵＰのプロトコルスタック図である。
【００３２】
ＰＨＹ（Ｐｈｙｓｉｃａｌ  ｌａｙｅｒ）３００は、ＮＲの無線物理層であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。詳細においてはＥ−ＵＴＲＡの無線物理層ＰＨＹ２００とは異なり、３ＧＰＰにおいて議論中である。
【００３３】
ＭＡＣ３０２は、多様な論理チャネル（Ｌｏｇｉｃａｌ  Ｃｈａｎｎｅｌ）を多様なトランスポートチャネルにマッピングを行ってもよい。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。詳細においてはＥ−ＵＴＲＡのＭＡＣ２０２とは異なり、３ＧＰＰにおいて議論中である。
【００３４】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節してもよい。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。詳細においてはＥ−ＵＴＲＡのＲＬＣ２０４とは異なり、３ＧＰＰにおいて議論中である。
【００３５】
ＰＤＣＰ３０６は、ユーザデータであるＩＰパケット（ＩＰ  Ｐａｃｋｅｔ）を無線区間で効率的に伝送するために、不要な制御情報の圧縮を行うヘッダ圧縮機能を持ってもよい。また、ＰＤＣＰ３０６は、デ−タの暗号化の機能も持ってもよい（非特許文献１１）。詳細においてはＥ−ＵＴＲＡのＰＤＣＰ２０６とは異なり、３ＧＰＰにおいて議論中である。
【００３６】
ＳＤＡＰ（Ｓｅｒｖｉｃｅ  Ｄａｔａ  Ａｄａｐｔａｔｉｏｎ  Ｐｒｏｔｏｃｏｌ）３１０は、コアネットワークから基地局装置を介して端末装置に送られるダウンリンクデータ、及びＵＥ１２２からｇＮＢを介してコアネットワークに送られるアップリンクデータのＱｏＳ情報と、ＤＲＢとマッピングする機能を持ってもよい（非特許文献９）。詳細においては３ＧＰＰにおいて議論中である。
【００３７】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰの上位レイヤとなる。（不図示）
【００３８】
なお、ＭＡＣ３０２、ＲＬＣ３０４、ＰＤＣＰ３０６、ＳＤＡＰ３１０において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵ、ＳＤＡＰ  ＰＤＵと呼んでも良い。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵ、ＳＤＡＰ  ＳＤＵと呼んでも良い。
【００３９】
図３（Ｂ）はＵＥ１２２がｇＮＢ１０８と通信を行う際に用いるＣＰのプロトコルスタック図である。
【００４０】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８が存在する。ＲＲＣ３０８は、無線ベアラ（Ｒａｄｉｏ  Ｂｅａｒｅｒ：ＲＢ）の設定・再設定を行い、論理チャネル、トランスポートチャネル及び物理チャネルの制御を行っても良い。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい（非特許文献１０）。
【００４１】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層の機能の一部あるいは全部が他の層に含まれてもよい。
【００４２】
なお、本発明の実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ、Ｅ−ＵＴＲＡ用ＲＬＣ、Ｅ−ＵＴＲＡ用ＲＬＣ、及びＥ−ＵＴＲＡ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。
【００４３】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。
【００４４】
（実施の形態）
図１から図８を用いて、本発明の実施の形態を説明する。
【００４５】
図４は本発明の実施の形態におけるＲＲＣコネクション再設定手順における、ＳＤＡＰ設定を伴うＤＲＢ設定のフローの一例を示す図である。
【００４６】
ＲＲＣコネクション再設定手順（ＲＲＣ  ｃｏｎｎｅｃｔｉｏｎ  ｒｅｃｏｎｆｉｇｕｒａｔｉｏｎ）は、非特許文献４に記載の、Ｅ−ＵＴＲＡにおけるＲＢの確立、変更、及び解放、及びセカンダリセルの、変更、解放等を行う他、ハンドオーバ及び測定（Ｍｅｓｕｒｅｍｅｎｔ）等のために用いられる手順であるが、ＮＲにおけるＲＢの確立、変更、及び解放、及びセカンダリセルの追加、変更、解放、ハンドオーバ及び測定（Ｍｅｓｕｒｅｍｅｎｔ）等のために用いられても良く、非特許文献１０に記載されてもよい。本発明の実施の形態において、ＮＲにおけるＲＢの確立、変更、及び解放、及びセルグループの追加、変更、解放、ハンドオーバ及び測定（Ｍｅｓｕｒｅｍｅｎｔ）等のために用いられ手順を、ＲＲＣコネクション再設定手順と呼ぶが、別の名称であっても良い。本発明の実施の形態におけるＲＲＣコネクション再設定手順はＮＲにおけるＲＢの確立、変更、及び解放、及びセルグループの追加、変更、解放、ハンドオーバ及び測定（Ｍｅｓｕｒｅｍｅｎｔ）等を含むＲＲＣコネクション再設定手順であっても良い。
【００４７】
図５は本発明の実施の形態における基地局装置（ｇＮＢ１０８）のＳＤＡＰ３１０の構成を示すブロック図である。なお、説明が煩雑になることを避けるために、図５では、本発明と密接に関連する主な構成部のみを示す。
【００４８】
図５に示すｇＮＢ１０８のＳＤＡＰ３１０は、ＩＰレイヤ以上の上位レイヤよりダウンリンクデータを受け取り、ダウンリンクデータを処理する、ダウンリンクデータ処理部５００、及び下位レイヤであるＰＤＣＰレイヤよりアップリンクデータを受け取り、アップリンクデータを処理する、アップリンクデータ処理部５０２、及びＱｏＳ情報とＤＲＢとの対応ルール（ｍａｐｐｉｎｇ  ｒｕｌｅ）を格納する対応ルール格納部５０４から成る。ｇＮＢ１０８にはダウンリンクデータ処理部５００、アップリンクデータ処理部５０２、対応ルール格納部５０４以外の機能が含まれていても良い。
【００４９】
図６は本発明の実施の形態における端末装置（ＵＥ１２２）のＳＤＡＰ３１０の構成を示すブロック図である。なお、説明が煩雑になることを避けるために、図５では、本発明と密接に関連する主な構成部のみを示す。
【００５０】
図６に示すＵＥ１２２のＳＤＡＰ３１０は、下位レイヤであるＰＤＣＰレイヤよりダウンリンクデータを受け取り、ダウンリンクデータを処理する、ダウンリンクデータ処理部６００、及びＩＰレイヤ以上の上位レイヤよりアップリンクデータを受け取り、アップリンクデータを処理する、アップリンクデータ処理部６０２、及びＱｏＳ情報とＤＲＢとの対応ルール（ｍａｐｐｉｎｇ  ｒｕｌｅ）を格納する対応ルール格納部６０４から成る。ＵＥ１２２にはダウンリンクデータ処理部６００、アップリンクデータ処理部６０２、対応ルール格納部６０４以外の機能が含まれていても良い。
【００５１】
図７は図４におけるＳＤＡＰ設定を伴うＤＲＢ設定に係るＡＳＮ．１（Ａｂｓｔｒａｃｔ  Ｓｙｎｔａｘ  Ｎｏｔａｔｉｏｎ  Ｏｎｅ）のパラメータ一例である。３ＧＰＰにおいて、ＲＲＣに係る仕様書（非特許文献４、非特許文献１０）は、ＲＲＣに係るメッセージ、及び情報（Ｉｎｆｏｒｍａｔｉｏｎ  Ｅｌｅｍｅｎｔ：ＩＥ）等をＡＳＮ．１を用いて記述する。図７のＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報が省略されていても良い。なお図７におけるＡＳＮ．１の例はＡＳＮ．１表記方法に正しく従ったものではなく、本発明におけるＳＤＡＰ設定のパラメータの一例を表記したものであり、他の名称や他の表記が使われても良い。
【００５２】
図７において、ＳＤＡＰ−Ｃｏｎｆｉｇは、ＳＤＡＰに関する設定を示す。ＳＤＡＰ−Ｃｏｎｆｉｇ中の、ｐｄｕＳｅｓｓｉｏｎＩｄで表されるパラメータは、非特許文献２に
説明されるＰＤＵセッションを識別するパラメータである。非特許文献２に説明されるＰＤＵセッション識別子（ＰＤＵ  ｓｅｓｓｉｏｎ  ｉｄｅｎｔｉｆｉｅｒ）と同じ値であっても良いし、別の値であっても良い。ｄｒｂ−Ｉｄｅｎｔｉｔｙ−Ｎｒで表されるパラメータは、ＳＤＡＰ設定と対応付くＤＲＢの識別子であり、ＰＤＵセッションの中でＤＲＢを一意に識別するために使われる。ｄｒｂ−Ｉｄｅｎｔｉｔｙ−ＮＲで表されるパラメータは、整数値であっても良い。ｄｅｆａｕｌｔで表されるパラメータは、設定するＤＲＢが、デフォルト（ｄｅｆａｕｌｔ）ＤＲＢであるか否かを示す。デフォルトＤＲＢは、主に、後述するＱｏＳフローとＤＲＢマッピングルールが無いＱｏＳフローのデータを通すために使われても良い。ｓｄａｐＨｅａｄｅｒで表されるパラメータは、設定するＤＲＢを通るＳＤＡＰ  ＰＤＵにＳＤＡＰヘッダが存在するか否かを示す。ｓｄａｐＨｅａｄｅｒで表されるパラメータはｏｎ又はｏｆｆ、ｅｎａｂｌｅ又はｄｉｓａｂｌｅ、ｔｒｕｅなどを用いて、存在するかしないかだけを示しても良いし、０、８、１６などの数値を用いて、ヘッダ長を示しても良い。ｑｆｉで表されるパラメータは、非特許文献２に説明されるＱＦＩ（ＱｏＳフロー識別子：ＱｏＳ  Ｆｌｏｗ  Ｉｄｅｎｔｉｆｉｅｒ）又は５ＱＩ（５Ｇ  ＱｏＳ  Ｉｄｅｎｔｉｆｉｅｒ）、又はＱｏＳフローを識別する情報を示す。ｑｆｉで表されるパラメータは、設定するＤＲＢに対応するＱｏＳ情報のルールを作成するのに用いられる。ｑｆｉで表されるパラメータは、非特許文献２で説明されるＱＦＩ又は５ＱＩと同じ値であっても良いし、ＱＦＩ又は５ＱＩ又はＱｏＳフローを識別する別の値であっても良い。ｒｅｆｌｅｃｔｉｖｅで表されるパラメータは、設定するＤＲＢが、非特許文献２に説明されるＲｅｆｌｅｃｔｉｖｅ ＱｏＳフローに対応するＤＲＢであ
るか否かを示す。ｒｅｆｌｅｃｔｉｖｅで表されるパラメータは、ｏｎ又はｏｆｆ、ｅｎａｂｌｅ又はｄｉｓａｂｌｅ、ｔｒｕｅなどを用いて、Ｒｅｆｌｅｃｔｉｖｅ ＱｏＳフ
ローに対応するＤＲＢであるか否かのみを示しても良いし、整数などを用いて、どのデータフローに対応するＲｅｆｌｅｃｔｉｖｅ ＱｏＳかを示しても良い。なお本発明の実施
の形態で、データフローとは送信元ＩＰアドレス、送信先ＩＰアドレス、送信元ポート番号、送信先ポート番号の組み合わせなどで識別する事のできる、一連のデータ（ＩＰパケット化されたデータ）の事を示す。また本発明の実施の形態で、ＱｏＳフローとは、同じＱｏＳの条件（ＱＦＩ又は５ＱＩなど）をもつデータ（ＩＰパケット化されたデータ）の事である。またまた本発明の実施の形態で、リフレクティブ（ｒｅｆｌｅｃｔｉｖｅ）ＱｏＳフローとは、非特許文献２に記載のリフレクティブＱｏＳ指示を持つデータ（ＩＰパケット化されたデータ）の事を示す。ｑｏｓＦｌｏｗＩｄで表されるパラメータは、ｒｅｆｌｅｃｔｉｖｅで表されるパラメータが、Ｒｅｆｌｅｃｔｉｖｅ ＱｏＳのフローに対
応するＤＲＢであるか否かのみを示すパラメータの場合などに、どのデータフローに対応するＲｅｆｌｅｃｔｉｖｅ ＱｏＳかを示す情報として、別途設定されるものであっても
良い。ｔｉｍｅｒで表されるパラメータは、確立するＤＲＢの、ＤＲＢとＱｏＳ情報対応ルールに関するタイマーである。本タイマーは、ＤＲＢとＱｏＳ情報対応ルールが格納された時にスタートし、タイマーが切れた（ｅｘｐｉｒｅ）場合に、ＵＥ１２２は、格納しているＤＲＢとＱｏＳ情報対応ルールを削除しても良い。また該当ＱｏＳ情報を持つデータを受け取った場合、タイマーをリスタートしてもよい。
【００５３】
また、図７においてＤＲＢ−ＴｏＡｄｄＭｏｄ−ＮＲはＤＲＢに関する設定を示す。ＤＲＢ−ＴｏＡｄｄＭｏｄ−ＮＲ中の、ｐｄｕＳｅｓｓｉｏｎＩｄで表されるパラメータは、非特許文献２に説明されるＰＤＵセッションを識別するパラメータである。非特許文献２に説明されるＰＤＵセッション識別子（ＰＤＵ  ｓｅｓｓｉｏｎ  ｉｄｅｎｔｉｆｉｅｒ）と同じ値であっても良いし、別の値であっても良い。ｐｄｕＳｅｓｓｉｏｎＩｄで表されるパラメータは、設定するＤＲＢが所属するＰＤＵセッションを識別するために使われる。ｄｒｂ−Ｉｄｅｎｔｉｔｙ−ＮＲで表されるパラメータは、ＰＤＵセッションの中でＤＲＢを一意に識別するために使われる。ｄｒｂ−Ｉｄｅｎｔｉｔｙ−ＮＲで表されるパラメータは、整数値であっても良い。ＤＲＢ−ＴｏＡｄｄＭｏｄ−ＮＲ中のｐｄｕＳｅｓｓｉｏｎＩｄ、及びｄｒｂ−Ｉｄｅｎｔｉｔｙ−ＮＲにより、ＳＤＡＰ設定との対応づ
けを行う。即ちＤＲＢ−ＴｏＡｄｄＭｏｄ−ＮＲ中のｐｄｕＳｅｓｓｉｏｎＩｄ、及びｄｒｂ−Ｉｄｅｎｔｉｔｙ−ＮＲは、対応するＳＤＡＰ−Ｃｏｎｆｉｇ中のｐｄｕＳｅｓｓｉｏｎＩｄ、及びｄｒｂ−Ｉｄｅｎｔｉｔｙ−ＮＲと、同じ値を設定する。なお、本発明の実施の形態では、ＳＤＡＰ設定とＤＲＢ設定を対応付けるために、ｐｄｕＳｅｓｓｉｏｎＩｄ、及びｄｒｂ−Ｉｄｅｎｔｉｔｙ−ＮＲを例として示したが、これに限らず、別の概念をもつパラメータであっても良い。
【００５４】
図７に示すパラメータは、全てが同時に設定されなくても良い。例えばデフォルトＤＲＢを設定する場合には、ｐｄｕＳｅｓｓｉｏｎＩｄパラメータ、ｄｒｂ−Ｉｄｅｎｔｉｔｙ−ＮＲパラメータ、ｄｅｆａｕｌｔパラメータのみであっても良いし、これに加えｓｄａｐＨｅａｄｅｒを設定し、ＱｏＳ情報をＳＤＡＰヘッダに格納できるようにしても良い。また例えばリフレクティブＱｏＳフローに対応したデフォルトＤＲＢを設定する場合には、ｐｄｕＳｅｓｓｉｏｎＩｄパラメータ、ｄｒｂ−Ｉｄｅｎｔｉｔｙ−ＮＲパラメータ、ｄｅｆａｕｌｔパラメータ、及びｒｅｆｌｅｃｔｉｖｅのみであっても良いし、これに加えｓｄａｐＨｅａｄｅｒを設定し、ＱｏＳ情報をＳＤＡＰヘッダに格納できるようにしても良い。また例えばリフレクティブＱｏＳフローに対応したＤＲＢを設定する場合には、ｐｄｕＳｅｓｓｉｏｎＩｄパラメータ、ｄｒｂ−Ｉｄｅｎｔｉｔｙ−ＮＲパラメータ、ｒｅｆｌｅｃｔｉｖｅパラメータ、及びｔｉｍｅｒパラメータのみであっても良いし、これに加えてｑｏｓＦｌｏｗＩｄパラメータを設定しても良い。また例えば、特定のＱＦＩ又は５ＱＩに対応したＤＲＢを設定する場合には、ｐｄｕＳｅｓｓｉｏｎＩｄパラメータ、ｄｒｂ−Ｉｄｅｎｔｉｔｙ−ＮＲパラメータ、ｑｆｉパラメータ、及びｔｉｍｅｒパラメータのみ設定しても良いし、これに加えてｑｏｓＦｌｏｗＩｄパラメータを設定しても良い。
【００５５】
なお本発明の実施の形態において、ＤＲＢとＱｏＳ情報の対応ルール（又はＱｏＳ情報とＤＲＢの対応ルール）はＤＲＢとＱｏＳフローの対応ルール（又はＱｏＳフローとＤＲＢの対応ルール）という用語に置き換えられても良い。また本発明の実施の形態において、ＤＲＢとＱｏＳ情報の対応ルール（又はＱｏＳ情報とＤＲＢの対応ルール）とは、リフレクティブＱｏＳフローであるというＱｏＳ情報とＤＲＢの対応ルールであっても良い。また本発明の実施の形態において、ＤＲＢとＱｏＳ情報の対応ルール（又はＱｏＳ情報とＤＲＢの対応ルール）とは、デフォルトＤＲＢであるというＱｏＳ情報とＤＲＢの対応ルールであっても良い。
【００５６】
次に、ＲＲＣコネクション再設定手順における、ＤＲＢ設定手順の例を説明する。
【００５７】
図４において、ｇＮＢ１０８は５ＧＣよりＱｏＳ情報を通知される（ステップＳ４００）。このＱｏＳ情報の通知は、非特許文献１５に説明されているＰＤＵ  ｓｅｓｓｉｏｎ
ｅｓｔａｂｌｉｓｈｍｅｎｔや、ＰＤＵ  ｓｅｓｓｉｏｎ  ｍｏｄｉｆｉｃａｔｉｏｎなど、ＰＤＵセッション管理に関するプロシージャ（ｐｒｏｃｅｄｕｒｅ）の中で行われても良いし、ＱｏＳ  ｆｌｏｗ  ｅｓｔａｂｌｉｓｈｍｅｎｔなどのＱｏＳフローの管理に関するプロシージャの中で行われても良い。
【００５８】
次にｇＮＢ１０８は、通知されたＱｏＳ情報に応じた、図７に例を示すＳＤＡＰ設定を作成し、ＲＲＣＣｏｎｎｅｃｔｉｏｎＲｅｃｏｎｆｉｇｒａｔｉｏｎに含めて、ＵＥ１２２へと送信する（ステップＳ４０２）
【００５９】
ＵＥ１２２は受け取ったＲＲＣＣｏｎｎｅｃｔｉｏｎＲｅｃｏｎｆｉｇｒａｔｉｏｎに含まれるＳＤＡＰ設定に従い、設定するＤＲＢに対するＳＤＡＰ設定を行う（ステップＳ４０４）。例えばデフォルトＤＲＢを示すパラメータが含まれている場合は、デフォルトＤＲＢであるという情報を、対応ルール格納部６０４に格納する。また例えば、リフレク
ティブＱｏＳフローに対応したＤＲＢである事を示すパラメータが含まれている場合には、リフレクティブＱｏＳフローに対応したＤＲＢであるという情報を、対応ルール格納部６０４に格納する。またＱＦＩを示すパラメータが含まれている場合には、このＱＦＩ情報をＱｏＳフローとＤＲＢの対応ルールとして、対応ルール格納部６０４に格納する。設定が終了したＵＥ１２２は、ｇＮＢ１０８にＲＲＣＣｏｎｎｅｃｔｉｏｎＲｅｃｏｎｆｉｇｕｒａｔｉｏｎＣｏｍｐｌｅｔｅを送信する（ステップＳ４０６）。なお対応ルール格納部には、ＱｏＳ情報と共にＤＲＢの識別子が格納されても良い。
【００６０】
ＲＲＣＣｏｎｎｅｃｔｉｏｎＲｅｃｏｎｆｉｇｕｒａｔｉｏｎＣｏｍｐｌｅｔｅを受け取ったｇＮＢ１０８は、設定したＤＲＢに対するＱｏＳ情報の対応ルールを格納する（ステップＳ４０８）。例えばデフォルトＤＲＢである場合は、デフォルトＤＲＢであるという情報を、対応ルール格納部５０４に格納する。また例えば、リフレクティブＱｏＳフローに対応したＤＲＢである場合には、リフレクティブＱｏＳフローに対応したＤＲＢであるという情報を、対応ルール格納部５０４に格納する。また特定のＱＦＩに対応したＤＲＢの場合には、このＱＦＩ情報をＱｏＳフローとＤＲＢの対応ルールとして、対応ルール格納部５０４に格納する。なお対応ルール格納部には、ＱｏＳ情報と共にＤＲＢの識別子が格納されても良い。なお、ステップＳ４０８のｇＮＢ１０８におけるＤＲＢとＱｏＳ情報の対応ルールを格納する処理は、ステップＳ４０６でＵＥ１２２からＲＲＣＣｏｎｎｅｃｔｉｏｎＲｅｃｏｎｆｉｇｕｒａｔｉｏｎＣｏｍｐｌｅｔｅを受け取った後ではなく、ステップＳ４００で５ＧＣ１１０からＱｏＳ情報の通知を受けた後に行っても良い。
【００６１】
図８は、ｇＮＢ１０８のＳＤＡＰ３１０において、ダウンリンクＳＤＡＰ ＳＤＵ、又
はアップリンクＳＤＡＰ  ＰＤＵを受け取った場合の処理、及びＵＥ１２２のＳＤＡＰ３１０において、ダウンリンクＳＤＡＰ  ＰＤＵ、又はアップリンクＳＤＡＰ  ＳＤＵを受け取った場合の処理フローの一例を示す。なお図８ではフローとして説明しているが、ｇＮＢ１０８のＳＤＡＰ３１０において、ダウンリンクＳＤＡＰ ＳＤＵを受け取った場合
の処理、ｇＮＢ１０８のＳＤＡＰ３１０において、アップリンクＳＤＡＰ  ＰＤＵを受け取った場合の処理、ＵＥ１２２のＳＤＡＰ３１０において、ダウンリンクＳＤＡＰ  ＰＤＵを受け取った場合の処理、及びＵＥ１２２のＳＤＡＰ３１０において、アップリンクＳＤＡＰ  ＳＤＵを受け取った場合の処理は、独立したタイミングで行われても良い。なお本発明の実施の形態におけるダウンリンクとはｇＮＢ１０８からＵＥ１２２方向、アップリンクとはＵＥ１２２から、ｇＮＢ１０８方向の事である。ダウンリンクデータは５ＧＣ１１０よりＩＰパケットの形でｇＮＢ１０８に送られ、ｇＮＢ１０８のＳＤＡＰ３１０にＳＤＡＰ  ＳＤＵとして渡される。一方アップリンクデータのＩＰパケットはＵＥ１２２で生成され、ＵＥ１２２のＳＤＡＰ３１０にＳＤＡＰ  ＳＤＵとして渡される。本発明の実施の形態における上位レイヤとはＩＰパケットを生成するＩＰレイヤとその上位に位置するレイヤの事を指す。なお後述する図８の説明の中で、ＰＤＣＰ３０６は、ＰＤＣＰ２０６であっても良い。
【００６２】
図８において、ｇＮＢ１０８のＳＤＡＰ３１０は、上位レイヤよりダウンリンクＳＤＡＰ  ＳＤＵ及び、このＳＤＡＰ  ＳＤＵが属するデータフローのＱｏＳ情報を受け取る（ステップＳ８００）。ｇＮＢ１０８のＳＤＡＰ３１０は受け取ったＱｏＳ情報から、対応ルール格納部５０４の対応ルールを確認し、対応付けが行われているＤＲＢへと割り当てる（ステップＳ８０２）。例えば、受け取ったＱｏＳ情報がＱＦＩ又はＱｏＳフロー情報であった場合、対応ルール格納部５０４に格納されているＱＦＩ又はＱｏＳフロー情報と、ＤＲＢ情報又はＤＲＢの識別子情報の対応ルールを確認し、対応ルールが存在した場合には、ＳＤＡＰ  ＳＤＵをＳＤＡＰ  ＰＤＵとして、対応するＤＲＢのＰＤＣＰ３０６に渡しても良い。
【００６３】
また、例えば、受け取ったＱｏＳ情報がＱＦＩ又はＱｏＳフロー情報であった場合、対応
ルール格納部５０４に格納されているＱＦＩ又はＱｏＳフロー情報と、ＤＲＢ情報又はＤＲＢの識別子情報の対応ルールを確認し、対応ルールが存在しない場合には、ＳＤＡＰ  ＳＤＵをＳＤＡＰ  ＰＤＵとして、デフォルトＤＲＢのＰＤＣＰ３０６に渡しても良い。この際、ＳＤＡＰ  ＳＤＵをＳＤＡＰ  ＰＤＵとして、デフォルトＤＲＢのＰＤＣＰ３０６に渡す事に代え、受け取ったＱＦＩ又はＱｏＳフロー情報をＳＤＡＰヘッダに格納し、このヘッダをＳＤＡＰ  ＳＤＵに付加したものをＳＤＡＰ  ＰＤＵとして、デフォルトＤＲＢのＰＤＣＰ３０６に渡しても良い。
【００６４】
また、例えば受け取ったＱｏＳ情報がリフレクティブＱｏＳ指示（Ｒｅｆｌｅｃｔｉｖｅ
ＱｏＳ  Ｉｎｄｉｃａｔｏｒ）などのリフレクティブＱｏＳフローに関する情報、及びＱＦＩ又はＱｏＳフロー情報であった場合、対応ルール格納部５０４に格納されている、リフレクティブＱｏＳフローに対応したＤＲＢ情報又はＤＲＢの識別子情報の対応ルールを確認し、対応ルールが存在した場合には、受け取ったＱＦＩ又はＱｏＳフロー情報をＳＤＡＰヘッダに格納し、このヘッダをＳＤＡＰ  ＳＤＵに付加したものをＳＤＡＰ  ＰＤＵとして、対応するＤＲＢのＰＤＣＰ３０６に渡しても良い。またＳＤＡＰヘッダには、リフレクティブＱｏＳ指示などのリフレクティブＱｏＳフローに関する情報や、ＱｏＳフロー識別子（ＱＦＩ：ＱｏＳ  Ｆｌｏｗ  Ｉｄｅｎｔｉｆｉｅｒ）など他の情報が含まれても良い。また、これと同時に、対応ルール格納部５０４に受け取ったＱＦＩ又はＱｏＳフロー情報と、リフレクティブＱｏＳフローに対応したＤＲＢ情報又はＤＲＢの識別子情報の対応ルールが無い場合には、この対応ルールを対応ルール格納部５０４に格納する。この際、格納したＱＦＩ又はＱｏＳフロー情報と、リフレクティブＱｏＳフローに対応したＤＲＢ情報又はＤＲＢの識別子情報の対応ルールに対するタイマーをセットしても良い。本タイマーが切れる（ｅｘｐｉｒｅ）するまでの間に、同じＱｏＳ情報を持ったＳＤＡＰ  ＳＤＵを受け取らなかった場合には、格納したＱＦＩ又はＱｏＳフロー情報と、リフレクティブＱｏＳフローに対応したＤＲＢ情報又はＤＲＢの識別子情報の対応ルールを削除しても良い。該当ＱｏＳ情報を持つデータを受け取った場合、タイマーをリスタートしてもよい。またこの際ｇＮＢ１０８はＲＲＣコネクション再設定手順などを用いて、後述するＵＥ１２２側のリフレクティブＱｏＳフローに対応したＤＲＢ情報又はＤＲＢの識別子情報の対応ルールを削除しても良い。また、受け取ったＱｏＳ情報の中にＱｏＳフロー識別子などのＱｏＳフローを特定できる情報が含まれている場合、ｇＮＢ１０８のＳＤＡＰ３１０はこのＱｏＳフロー（リフレクティブＱｏＳフロー）を特定できる情報と、ＱＦＩ又はＱｏＳフローを監視（ｍｏｎｉｔｏｒ）し、このＱｏＳフロー（リフレクティブＱｏＳフロー）に対するＱＦＩ又はＱｏＳフロー情報が変化した場合、対応ルール格納部５０４に格納した、格納したＱＦＩ又はＱｏＳフロー情報と、リフレクティブＱｏＳフローに対応したＤＲＢ情報又はＤＲＢの識別子情報の対応ルールを更新しても良い。
【００６５】
また、例えば、受け取ったＱｏＳ情報が、リフレクティブＱｏＳ指示（Ｒｅｆｌｅｃｔｉｖｅ  ＱｏＳ  Ｉｎｄｉｃａｔｏｒ）などのリフレクティブＱｏＳフローに関する情報、及びＱＦＩ又はＱｏＳフロー情報であった場合、対応ルール格納部５０４に格納されている、リフレクティブＱｏＳフローに対応したＤＲＢ情報又はＤＲＢの識別子情報の対応ルールを確認し、対応ルールが存在しない場合には、ＳＤＡＰ  ＳＤＵをＳＤＡＰ  ＰＤＵとして、デフォルトＤＲＢのＰＤＣＰ３０６に渡しても良い。この際、ＳＤＡＰ  ＳＤＵをＳＤＡＰ  ＰＤＵとして、デフォルトＤＲＢのＰＤＣＰ３０６に渡す事に代え、受け取ったＱＦＩ又はＱｏＳフロー情報をＳＤＡＰヘッダに格納し、このヘッダをＳＤＡＰ  ＳＤＵに付加したものをＳＤＡＰ  ＰＤＵとして、デフォルトＤＲＢのＰＤＣＰ３０６に渡しても良い。またＳＤＡＰヘッダには、リフレクティブＱｏＳ指示などのリフレクティブＱｏＳフローに関する情報や、ＱｏＳフロー識別子（ＱＦＩ：ＱｏＳ  Ｆｌｏｗ  Ｉｄｅｎｔｉｆｉｅｒ）など他の情報が含まれても良い。またデフォルトＤＲＢのＰＤＣＰ３０６に渡す事に代え、リフレクティブＱｏＳフローに対応したデフォルトＤＲＢのＰＤＣＰ３０６に渡しても良い。
【００６６】
ステップＳ８０２において、ｇＮＢ１０８のＳＤＡＰ３１０は、利用した対応ルールに関するタイマーをセット又はリセットしても良い。本タイマーが切れる（ｅｘｐｉｒｅ）するまでの間に、同じＱｏＳ情報を持ったＳＤＡＰ  ＳＤＵを受け取らなかった場合には、利用した対応ルールを削除しても良い。またこの際ｇＮＢ１０８はＲＲＣコネクション再設定手順などを用いて、後述するＵＥ１２２側の対応ルールを削除しても良い。該当ＱｏＳ情報を持つデータを受け取った場合、タイマーをリスタートしてもよい。またＲＲＣコネクション再設定手順などを用いて、ＤＲＢをｒｅｌｅａｓｅしても良い。
【００６７】
次に、ＵＥ１２２のＳＤＡＰ３１０は、ＰＤＣＰ３０６よりダウンリンクＳＤＡＰ  ＰＤＵを受け取る（ステップＳ８０４）。ＵＥ１２２のＳＤＡＰ３１０は、対応ルール格納部６０４に格納している対応ルールを確認し、ＳＤＡＰ  ＰＤＵを処理してＳＤＡＰ  ＳＤＵとし、必要な情報と共に上位レイヤへと引き渡す（ステップＳ８０６）。
【００６８】
例えば、ダウンリンクＳＤＡＰ  ＰＤＵが引き渡されたＤＲＢに対する対応ルールがＱＦＩ又はＱｏＳフロー情報であった場合、ＳＤＡＰ  ＰＤＵをそのままＳＤＡＰ  ＳＤＵとして上位レイヤに渡しても良い。またこの際ＱＦＩ又はＱｏＳフロー情報など他の情報と一緒に渡しても良いし、他の情報を付けずに渡しても良い。
【００６９】
また、例えば、ダウンリンクＳＤＡＰ  ＰＤＵが引き渡されたＤＲＢに対する対応ルールが存在しない、又はデフォルトＤＲＢである場合には、ＳＤＡＰ  ＰＤＵをＳＤＡＰ  ＳＤＵとして、上位レイヤに渡しても良い。もしＳＤＡＰヘッダがある場合には、ＳＤＡＰ
ＰＤＵよりＳＤＡＰヘッダを削除してＳＤＡＰ  ＳＤＵを生成すると共に、生成したＳＤＡＰ  ＳＤＵをＳＤＡＰヘッダの全ての情報、または一部の情報と共に上位レイヤに渡しても良い。
【００７０】
また、例えば、ダウンリンクＳＤＡＰ  ＰＤＵが引き渡されたＤＲＢに対する対応ルールが、リフレクティブＱｏＳフローに対応したＤＲＢ情報又はＤＲＢの識別子情報の対応ルールであった場合、ＳＤＡＰ  ＰＤＵよりＳＤＡＰヘッダを削除してＳＤＡＰ  ＳＤＵを生成すると共に、生成したＳＤＡＰ  ＳＤＵをＳＤＡＰヘッダの全ての情報、または一部の情報と共に上位レイヤに渡しても良い。またＳＤＡＰヘッダにリフレクティブＱｏＳフローの情報が入っていない場合でも、リフレクティブＱｏＳフローである事の情報を、ＳＤＡＰ  ＳＤＵと共に明示的に上位レイヤに渡しても良い。またリフレクティブＱｏＳフローである事の情報を、ＳＤＡＰ  ＳＤＵと共に明示的に上位レイヤに渡す事に代え、ＱＦＩ又はＱｏＳフロー情報をＳＤＡＰ  ＳＤＵと共に上位レイヤに渡す事により、リフレクティブＱｏＳフローである事を上位レイヤに伝えても良い。また、これと同時に、対応ルール格納部６０４に、ＳＤＡＰヘッダより受け取ったＱＦＩ又はＱｏＳフロー情報と、リフレクティブＱｏＳフローに対応したＤＲＢ情報又はＤＲＢの識別子情報の対応ルールが無い場合には、この対応ルールを対応ルール格納部６０４に格納する。この際、格納したＱＦＩ又はＱｏＳフロー情報と、リフレクティブＱｏＳフローに対応したＤＲＢ情報又はＤＲＢの識別子情報の対応ルールに対するタイマーをセットしても良い。本タイマーが切れる（ｅｘｐｉｒｅ）するまでの間に、同じＱｏＳ情報を持ったＳＤＡＰ  ＳＤＵを受け取らなかった場合には、格納したＱＦＩ又はＱｏＳフロー情報と、リフレクティブＱｏＳフローに対応したＤＲＢ情報又はＤＲＢの識別子情報の対応ルールを削除しても良い。該当ＱｏＳ情報を持つデータを受け取った場合、タイマーをリスタートしてもよい。また、ＳＤＡＰヘッダにＱｏＳフロー識別子などのＱｏＳフローを特定できる情報が含まれている場合、ＵＥ１２２のＳＤＡＰ３１０はこのＱｏＳフロー（リフレクティブＱｏＳフロー）を特定できる情報と、ＱＦＩ又はＱｏＳフローを監視（ｍｏｎｉｔｏｒ）し、このＱｏＳフロー（リフレクティブＱｏＳフロー）に対するＱＦＩ又はＱｏＳフロー情報が変化した場合、対応ルール格納部６０４に格納した、格納したＱＦＩ又はＱｏＳフロー情報と
、リフレクティブＱｏＳフローに対応したＤＲＢ情報又はＤＲＢの識別子情報の対応ルールを更新しても良い。
【００７１】
次に、ＵＥ１２２のＳＤＡＰ３１０は、上位レイヤよりアップリンクＳＤＡＰ  ＳＤＵ及び、このＳＤＡＰ  ＳＤＵが属するデータフローのＱｏＳ情報を受け取る（ステップＳ８０８）。ＵＥ１２２のＳＤＡＰ３１０は受け取ったＱｏＳ情報から、対応ルール格納部６０４の対応ルールを確認し、対応付けが行われているＤＲＢへと割り当てる（ステップＳ８１０）。例えば、受け取ったＱｏＳ情報がＱＦＩ又はＱｏＳフロー情報であった場合、対応ルール格納部６０４に格納されているＱＦＩ又はＱｏＳフロー情報と、ＤＲＢ情報又はＤＲＢの識別子情報の対応ルールを確認し、対応ルールが存在した場合には、ＳＤＡＰ  ＳＤＵをＳＤＡＰ  ＰＤＵとして、対応するＤＲＢのＰＤＣＰ３０６に渡しても良い。
【００７２】
また、例えば、受け取ったＱｏＳ情報がＱＦＩ又はＱｏＳフロー情報であった場合、対応ルール格納部６０４に格納されているＱＦＩ又はＱｏＳフロー情報と、ＤＲＢ情報又はＤＲＢの識別子情報の対応ルールを確認し、対応ルールが存在しない場合には、ＳＤＡＰ  ＳＤＵをＳＤＡＰ  ＰＤＵとして、デフォルトＤＲＢのＰＤＣＰ３０６に渡しても良い。この際、ＳＤＡＰ  ＳＤＵをＳＤＡＰ  ＰＤＵとして、デフォルトＤＲＢのＰＤＣＰ３０６に渡す事に代え、受け取ったＱＦＩ又はＱｏＳフロー情報をＳＤＡＰヘッダに格納し、このヘッダをＳＤＡＰ  ＳＤＵに付加したものをＳＤＡＰ  ＰＤＵとして、デフォルトＤＲＢのＰＤＣＰ３０６に渡しても良い。
【００７３】
また、例えば受け取ったＱｏＳ情報がリフレクティブＱｏＳ指示（Ｒｅｆｌｅｃｔｉｖｅ
ＱｏＳ  Ｉｎｄｉｃａｔｏｒ）などのリフレクティブＱｏＳフローに関する情報、及びＱＦＩ又はＱｏＳフロー情報であった場合、対応ルール格納部６０４に格納されている、リフレクティブＱｏＳフローに対応したＤＲＢ情報又はＤＲＢの識別子情報の対応ルールを確認し、対応ルールが存在した場合には、受け取ったＱＦＩ又はＱｏＳフロー情報をＳＤＡＰヘッダに格納し、このヘッダをＳＤＡＰ  ＳＤＵに付加したものをＳＤＡＰ  ＰＤＵとして、対応するＤＲＢのＰＤＣＰ３０６に渡しても良い。またＳＤＡＰヘッダには、リフレクティブＱｏＳ指示などのリフレクティブＱｏＳフローに関する情報や、ＱｏＳフロー識別子（ＱＦＩ：ＱｏＳ  Ｆｌｏｗ  Ｉｄｅｎｔｉｆｉｅｒ）など他の情報が含まれても良い。
【００７４】
また、例えば、受け取ったＱｏＳ情報が、リフレクティブＱｏＳ指示（Ｒｅｆｌｅｃｔｉｖｅ  ＱｏＳ  Ｉｎｄｉｃａｔｏｒ）などのリフレクティブＱｏＳフローに関する情報、及びＱＦＩ又はＱｏＳフロー情報であった場合、対応ルール格納部６０４に格納されている、リフレクティブＱｏＳフローに対応したＤＲＢ情報又はＤＲＢの識別子情報の対応ルールを確認し、対応ルールが存在しない場合には、ＳＤＡＰ  ＳＤＵをＳＤＡＰ  ＰＤＵとして、デフォルトＤＲＢのＰＤＣＰ３０６に渡しても良い。この際、ＳＤＡＰ  ＳＤＵをＳＤＡＰ  ＰＤＵとして、デフォルトＤＲＢのＰＤＣＰ３０６に渡す事に代え、受け取ったＱＦＩ又はＱｏＳフロー情報をＳＤＡＰヘッダに格納し、このヘッダをＳＤＡＰ  ＳＤＵに付加したものをＳＤＡＰ  ＰＤＵとして、デフォルトＤＲＢのＰＤＣＰ３０６に渡しても良い。またＳＤＡＰヘッダには、リフレクティブＱｏＳ指示などのリフレクティブＱｏＳフローに関する情報や、ＱｏＳフロー識別子（ＱＦＩ：ＱｏＳ  Ｆｌｏｗ  Ｉｄｅｎｔｉｆｉｅｒ）など他の情報が含まれても良い。またデフォルトＤＲＢのＰＤＣＰ３０６に渡す事に代え、リフレクティブＱｏＳフローに対応したデフォルトＤＲＢのＰＤＣＰ３０６に渡しても良い。
【００７５】
次に、ｇＮＢ１０８のＳＤＡＰ３１０は、ＰＤＣＰ３０６よりダウンリンクＳＤＡＰ  ＰＤＵを受け取る（ステップＳ８１２）。ｇＮＢ１０８のＳＤＡＰ３１０は、対応ルール
格納部５０４に格納している対応ルールを確認し、ＳＤＡＰ  ＰＤＵを処理してＳＤＡＰ
ＳＤＵとし、必要な情報と共に上位レイヤへと引き渡す（ステップＳ８１４）。
【００７６】
例えば、アップリンクＳＤＡＰ  ＰＤＵが引き渡されたＤＲＢに対する対応ルールがＱＦＩ又はＱｏＳフロー情報であった場合、ＳＤＡＰ  ＰＤＵをそのままＳＤＡＰ  ＳＤＵとして上位レイヤに渡すと共に、ＱＦＩ又はＱｏＳフロー情報など他の情報と一緒に渡しても良い。
【００７７】
また、例えば、ダウンリンクＳＤＡＰ  ＰＤＵが引き渡されたＤＲＢに対する対応ルールが存在しない、又はデフォルトＤＲＢである場合には、ＳＤＡＰ  ＰＤＵをＳＤＡＰ  ＳＤＵとして、上位レイヤに渡しても良い。もしＳＤＡＰヘッダがある場合には、ＳＤＡＰ
ＰＤＵよりＳＤＡＰをヘッダ削除してＳＤＡＰ  ＳＤＵを生成すると共に、生成したＳＤＡＰ  ＳＤＵをＳＤＡＰヘッダの全ての情報、または一部の情報と共に上位レイヤに渡しても良い。
【００７８】
また、例えば、ダウンリンクＳＤＡＰ  ＰＤＵが引き渡されたＤＲＢに対する対応ルールが、リフレクティブＱｏＳフローに対応したＤＲＢ情報又はＤＲＢの識別子情報の対応ルールであった場合、ＳＤＡＰ  ＰＤＵよりＳＤＡＰヘッダを削除してＳＤＡＰ  ＳＤＵを生成すると共に、生成したＳＤＡＰ  ＳＤＵをＳＤＡＰヘッダの全ての情報、または一部の情報と共に上位レイヤに渡しても良い。
【００７９】
なお、本発明の実施の形態におけるＤＲＢ設定は、ＲＲＣコネクション再設定手順だけでなく、ＲＲＣコネクション確立（ＲＲＣ  Ｃｏｎｎｅｃｔｉｏｎ  Ｅｓｔａｂｌｉｓｈｍｅｎｔ）手順や、ＲＲＣコネクション再確立（ＲＲＣ  Ｃｏｎｎｅｃｔｉｏｎ  Ｒｅ−Ｅｓｔａｂｌｉｓｈｍｅｎｔ）手順に含まれていても良い。
【００８０】
このように、本発明の実施の形態では、上位レイヤと無線アクセスレイヤの間でＱＦＩ又はリフレクティグ情報など必要な情報の送受信を行い、ＱｏＳの管理を正しく行う事により、効率的な通信を行うことができる。
【００８１】
また、本発明の実施の形態におけるＳＤＡＰヘッダに関するパラメータは、上り（端末装置から基地局装置方向）、及び下り（基地局装置から端末装置方向）別々に設定されても良い。
【００８２】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００８３】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【００８４】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【００８５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【００８６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【００８７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【００８８】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
５００、６００  ダウンリンクデータ処理部
５０２、６０２  アップリンクデータ処理部
５０４、６０４  対応ルール格納部
【図１】
2019033421.tif 000003
【図２】
2019033421.tif 000004
【図３】
2019033421.tif 000005
【図４】
2019033421.tif 000006
【図５】
2019033421.tif 000007
【図６】
2019033421.tif 000008
【図７】
2019033421.tif 000009
【図８】
2019033421.tif 000010